(57)【要約】【課題】傾斜面からでも、操作感に優れ、確実に操作することができるスイッチ装置を提供する。【解決手段】スイッチ装置１は、柱状の押圧部２ｃを有し、押圧部２ｃの軸方向に所定方向に対して傾いた斜め方向に押圧操作されることで押圧部２ｃを変位させる押圧操作部２と、スイッチ部４が実装された軸方向に垂直な方向を面方向とする回路基板４０と、スイッチ部４から押圧部２ｃに向かって延び、押圧部２ｃの先端面２ｄと面接触し、押圧操作部２への押圧操作によって変位する押圧部２ｃによって押されて回路基板４０側に移動してスイッチ部４を動作させるシャフト部３と、を備え、押圧操作部２は、押圧部２ｃを囲んで、押圧部２ｃを変位可能に弾性支持する支持部２ｅをさらに有し、支持部２ｅは、回路基板４０の面方向に対して傾斜し、押圧部２cの先端面２ｄまでの距離が長い側の領域が、距離が短い側の領域よりも撓みやすく形成される。【選択図】図２
2015225780.tif 000002
【特許請求の範囲】
【請求項１】
柱状の押圧部を有し、当該押圧部の軸方向に所定方向に対して傾いた斜め方向に押圧操作されることで、前記押圧部を変位させる押圧操作部と、
スイッチ部が実装された、前記軸方向に垂直な方向を面方向とする回路基板と、
前記スイッチ部から前記押圧部に向かって延び、前記押圧部の先端面と面接触し、前記押圧操作部への押圧操作によって変位する前記押圧部によって押されて前記回路基板側に移動して前記スイッチ部を動作させるシャフト部と、を備え、
前記押圧操作部は、前記押圧部を囲んで、前記押圧部を変位可能に弾性支持する支持部をさらに有し、
前記支持部は、前記回路基板の面方向に対して傾斜しており、前記押圧部の前記先端面までの距離が長い側の領域が、距離が短い側の領域よりも撓みやすく形成されている、
ことを特徴とするスイッチ装置。
【請求項２】
前記押圧操作部は、前記支持部が取り付けられる貫通孔をシールするシール部を備える、
ことを特徴とする請求項１に記載のスイッチ装置。
【請求項３】
前記押圧操作部は、前記支持部から前記回路基板側に突き出して前記シャフト部の周囲に位置し前記シャフト部の移動をガイドするガイド部を備える、
ことを特徴とする請求項１又は２に記載のスイッチ装置。
【請求項４】
前記押圧操作部は、前記押圧部の円柱状の外側部に平面部を形成して前記支持部が撓みやすく形成されている、
ことを特徴とする請求項１乃至３のいずれかに記載のスイッチ装置。
【請求項５】
前記押圧操作部は、前記ガイド部に前記シャフト部側に突き出して前記シャフト部との隙間を狭めるリブを形成してなる、
ことを特徴とする請求項３に記載のスイッチ装置。
【発明の詳細な説明】
【技術分野】
【０００１】
本発明は、スイッチ装置に関する。
【背景技術】
【０００２】
従来のスイッチ装置として特許文献１に開示されたものが知られている。特許文献１に係るスイッチ装置は、表示装置に組み込まれ、回路基板と、回路基板の表側（表示装置の計測値表示側）に実装されたスイッチ部とを備えており、ケースの表側に位置する操作部材からの押圧操作によりスイッチ部を押す構成となっている。
【先行技術文献】
【特許文献】
【０００３】
【特許文献１】特開２０１３−９５１７８号公報
【発明の概要】
【発明が解決しようとする課題】
【０００４】
スイッチ装置が組み込まれる装置（表示装置や計器装置など）はデザイン上、ケースの表面が傾斜面で形成される場合がある。また、スイッチ装置が２輪車やオープンカーに組み込まれる場合がある。これらの場合、特許文献１に係るスイッチ装置の構成では、ケースの貫通孔から雨水などが浸入するおそれがあり、パッキン部材を設けてシールする必要がある。傾斜面に設けたパッキン部材を介して操作部材を押圧操作しても、押圧する方向と操作部材の方向とが一致せず、操作部材が傾くなど、操作感が低下し、スイッチ装置を確実に操作することができないおそれがある。
【０００５】
本発明は、上記実情に鑑みてなされたものであり、傾斜面からでも、操作感に優れ、確実に操作することができるスイッチ装置を提供することを目的とする。
【課題を解決するための手段】
【０００６】
上記目的を達成するため、本発明に係るスイッチ装置は、
柱状の押圧部を有し、当該押圧部の軸方向に所定方向に対して傾いた斜め方向に押圧操作されることで、前記押圧部を変位させる押圧操作部と、
スイッチ部が実装された、前記軸方向に垂直な方向を面方向とする回路基板と、
前記スイッチ部から前記押圧部に向かって延び、前記押圧部の先端面と面接触し、前記押圧操作部への押圧操作によって変位する前記押圧部によって押されて前記回路基板側に移動して前記スイッチ部を動作させるシャフト部と、を備え、
前記押圧操作部は、前記押圧部を囲んで、前記押圧部を変位可能に弾性支持する支持部をさらに有し、
前記支持部は、前記回路基板の面方向に対して傾斜しており、前記押圧部の前記先端面までの距離が長い側の領域が、距離が短い側の領域よりも撓みやすく形成されている、
ことを特徴とする。
【発明の効果】
【０００７】
本発明によれば、傾斜面からでも、操作感に優れ、確実に操作することができる。
【図面の簡単な説明】
【０００８】
【図１】本発明のスイッチ装置の一実施形態に係り、（ａ）は計器装置とともに示す平面図、（ｂ）は（ａ）図中のＢ部拡大図である。
【図２】図１（ａ）に示す計器装置のＡ−Ａ線断面図である。
【図３】（ａ）はスイッチ装置の押圧操作部を説明するための背面図、（ｂ）は（ａ）中のＣ−Ｃ線断面図である。
【図４】（ａ）はスイッチ装置の押圧操作部を動作の説明図、（ｂ）は比較のための従来構造の押圧操作部の動作の説明図である。
【発明を実施するための形態】
【０００９】
本発明のスイッチ装置の一実施形態について図面を参照して説明する。
【００１０】
本実施形態に係るスイッチ装置１（図２、図３など参照）は、図１に示す車両用の計器装置１００に組み込まれるものである。以下では、まず、計器装置１００の概略構成を説明した後に、スイッチ装置１について詳細に説明する。なお、以下では、計器装置１００及びスイッチ装置１の構成の理解を容易にするために、各部材に対して、計器装置の計測量表示側を「表」、その反対側を「裏」として、各部材を適宜説明する。
【００１１】
（計器装置）
計器装置１００は、搭載される車両に関する各種情報を報知する複合計器として構成されている。計器装置１００は、図１及び図２に示すように、第１計器部１０と、第２計器部２０と、表示ディスプレイ３０と、回路基板４０と、中ケース５０と、文字板６０と、見返し部材７０と、裏ケース８０と、上ケース（ガラス）９０と、スイッチ装置１と、を備える。
【００１２】
第１計器部１０は、例えばスピードメータであり、目盛り、数値等からなる指標部（図示せず）と、この指標部を指示する指針１１とを対比判読させることにより車速を報知する。
第２計器部２０は、例えばタコメータであり、エンジンの回転数を報知する。第２計器部２０の構成は第１計器部１０と同様であるため、以下の説明は省略する。
【００１３】
表示ディスプレイ３０は、液晶ディスプレイ（ＬＣＤ：Liquid Crystal Display）、有機ＥＬディスプレイ（ＯＥＬＤ：Organic Electro-Luminescence Display）等からなり、例えば、車両に関する各種情報を示す画像を表示する。一例として、表示ディスプレイ３０は、表示画像により走行距離を報知するオドメータ／トリップメータとして機能する。
【００１４】
回路基板４０は、プリント配線が形成された基板４１（プリント配線板）と、基板４１に実装された各種電子部品とから構成されている。基板４１に実装される各種電子部品は、計器装置１００の各部の動作を制御する制御部（図示しないマイクロコンピュータ等）、指針１１を回転駆動するステッピングモータ（図示せず）、各種電子部品に接続される回路を構成する抵抗やコンデンサ、計器装置１００を照明するための光源、スイッチ装置１の後述するスイッチ部４などである。光源（図示せず）は回路基板４０の表側に、スイッチ部４も、図２に示すように、回路基板４０の表側に実装されている。また、図示しないが、制御部は回路基板４０の表側に、ステッピングモータは回路基板４０の裏側に実装されている。
【００１５】
中ケース５０は、回路基板４０の表側に位置し、表示ディスプレイ３０などを収納する。中ケース５０は、例えばポリプロピレン（Polypropylene）などの樹脂により白色に形成されている。
【００１６】
文字板６０は、例えば、所定の樹脂により形成された透光性を有する板材と、この板材の表側及び／又は裏側に形成された遮光性の印刷層と、から構成されている。印刷層の一部は抜き文字状となっている。文字板６０において、抜き文字状の印刷層は、指針１１の指示対象である数値、目盛り等からなる指標部（図示せず）を形成している。なお、抜き文字状の部分に、透光性の印刷層を形成してもよい。また、文字板６０には、表示ディスプレイ３０の表示領域を視認可能とする開口部６１（図１参照）が設けられている。
【００１７】
見返し部材７０は、計器装置１００の不要箇所を隠す部材であり、第１計器部１０、第２計器部２０、及び表示ディスプレイ３０をそれぞれ囲んで、文字板６０の表側に位置する。見返し部材７０は、例えばＡＢＳ（Acrylonitrile Butadiene Styrene copolymer）などの樹脂から遮光性を有して形成されている（例えば黒色）。見返し部材７０には、第１計器部１０、第２計器部２０、及び表示ディスプレイ３０を、覗かせる開口部７１が設けられている。
なお、この見返し部材７０には、開口部７１の表側を塞ぐように、後述する上ケース９０が取り付けられる。上ケース９０は、透明板９１（例えばガラスからなる）で形成されている。
【００１８】
裏ケース８０は、基板４１を挟んで中ケース５０の裏側に位置する。裏ケース８０と見返し部材７０とガラスなどの上ケース９０とが組み合わされると、略密封（通気孔による通気は可能）された略箱状になり計器装置１００の外形を構成する。
【００１９】
上ケース９０は、見返し部材７０の開口部７１の表側を塞ぐ透明な部材であり、例えばガラスからなる透明板９１で形成されている。上ケース９０は、例えば第１計器部１０、第２計器部２０、及び表示ディスプレイ３０の表側の全面を一体として覆っている。透明板９１は、湾曲した傾斜面状に形成され、例えば手前側が低く、奥側が高い曲面と、中央部が低く、左右両側が高い曲面とを組み合わせた立体的な曲面形状としてある。
上ケース９０には、スイッチ装置１の押圧操作部２を取り付ける貫通孔９２が形成してある。
【００２０】
次に、本発明に係るスイッチ装置１の実施形態について詳細に説明する。
（スイッチ装置）
スイッチ装置１は、図１〜図３に示すように、押圧操作部２と、シャフト部３と、スイッチ部４と、計器装置１００と共用の回路基板４０と、を備える。さらに、押圧操作部２は、押圧部２ｃと、支持部２ｅとを備える。
本実施形態に係るスイッチ装置１は、図１に示すように、１つの押圧操作部２とこれに対応するシャフト部３、スイッチ部４、などから構成され、計器装置１００の左右２箇所に配置されている。左右２箇所のスイッチ装置１、１は、例えば、表示ディスプレイ３０の表示モード（オドメータ／トリップメータのリセットなど）の切り替えや計器装置１００の照明の発光輝度の変更などを行うためのものである。これらスイッチ装置１、１は、同一の構造であるため、以下では、右側のスイッチ装置１について説明する。
【００２１】
押圧操作部２は、ユーザ（主に計器装置１００が搭載された車両の運転者）によって押圧操作される部分である。押圧操作部２は、例えば、エチレンプロピレンゴムなどの所定の弾性素材からなる。
押圧操作部２は、柱状の押圧部２ｃを有しており、押圧部２ｃの軸方向に対して押圧操作部２が所定方向に傾いた斜め方向に形成されている。押圧操作部２の傾いた斜め方向は、傾斜した外ケース９０の透明板９１の貫通孔９２に押圧操作部２を取り付けた状態で、押圧部２ｃの軸方向がスイッチ部４を動作させるシャフト部３の軸方向と一致する方向とされる。押圧操作部２は、押圧部２ｃを囲んで、押圧部２ｃを変位可能に弾性支持する支持部２ｅをさらに有している。支持部２ｅは、押圧操作部２と一体に形成され、回路基板４０の面方向に対して傾斜している。
スイッチ部４は、回路基板４０に実装され、スイッチ部４のシャフト部３の軸方向に垂直な方向が回路基板４０の面方向とされている。
シャフト部３は、スイッチ部４から押圧部２ｃに向かって延び、押圧部２ｃの先端面２ｄと面接触する。シャフト部３は、押圧操作部２への押圧操作によって変位する押圧部２ｃによって押されて回路基板４０側に移動してスイッチ部４を動作させる。
これにより、傾いた斜め方向に取り付けられた押圧操作部２の押圧操作によって、押圧部２ｃは軸方向に変位され、押圧部２ｃによってシャフト部３が押されて回路基板４０側に移動してスイッチ部４を動作させる。
すなわち、押圧操作部２の裏側には、図３に示すように、柱状に突き出す押圧部２ｃが一体に設けられる。押圧部２ｃの裏側面（先端面）２ｄは、押圧面とされ、シャフト部３の表側の操作面３ａと面接触する。押圧操作部２を押圧操作することで、シャフト部３を介してスイッチ部４が操作される。押圧操作部２の各部の詳細は、シャフト部３およびスイッチ部４の説明の後に説明する。
【００２２】
シャフト部３は、押圧操作部２の裏側に位置し、スイッチ部４の操作ロッド４ａが一体に構成してある。シャフト部３は、回路基板４０の基板４１に実装されたスイッチ部４から押圧操作部２に向かって基板４１の面方向に対して垂直に延びる部材である。シャフト部３は、例えば、円柱形状をなし、押圧操作部２とは別体で構成される。
シャフト部３は、押圧操作部２が押圧操作されると押圧操作部２と共に回路基板４０側（沈む方向）に移動する。すなわち、シャフト部３は、図２に示すように、見返し部７０に貫通して形成された筒状のガイド部７２、文字板６０に形成された貫通孔６２、および中ケース５０のシャフト配置部５１に形成した貫通孔５２に挿通されて計器装置１００の表裏方向に移動可能となっている。シャフト部３の表側の円形の操作面３ａが押圧操作部２の押圧部２ｃの裏側面（先端面）２ｄと平行に対向し、押圧操作部２の押圧操作によって面接触するよう配置される。
【００２３】
シャフト部３は、中ケース５０内に位置する部分がスイッチ部４の操作ロッド４ａを構成する。操作ロッド４ａを構成するシャフト部３には、円盤状のばね受け３ｂが形成され、中ケース５０の貫通孔５２を貫通して突き出した部分に係止部３ｃが形成してある。
シャフト部３には、ばね受け３ｂと中ケース５０のシャフト配置部５１との間にコイルばね３ｄが介装される。シャフト部３（操作ロッド４ａ）は、常時、表側に付勢され、係止部３ｃの中ケース５０への係止によって表側への付勢位置が規制される。これにより、シャフト部３（操作ロッド４ａ）は、基板４１の面方向に対する垂直方向（基板４１の略法線方向（法線方向も含む））に配置されてコイルばね３ｄによる復元力を有している。
なお、シャフト部（操作ロッド４ａ）３は、文字板６０の貫通孔６２の裏側に遮光部３ｅを有して貫通孔６２の裏側を塞いで計器装置１００の照明光が漏れ出ること防止している。
【００２４】
スイッチ部４は、基板４１の表側に実装されたコンタクトスイッチ４ｂを備える。スイッチ部４は、操作ロッド４ａ（シャフト部３）によってコンタクトスイッチ４ｂが押圧操作される。操作ロッド４ａ（シャフト部３）には、コンタクトスイッチ４ｂと対向してスイッチ動作部４ｃが一体に設けてある。スイッチ動作部４ｃによってコンタクトスイッチ４ｂが押圧操作される。操作ロッド４ａ（シャフト部３）およびスイッチ動作部４ｃは、基板４１の面方向に対する垂直方向、すなわち操作ロッド４ａの軸方向に復元力を有する。すなわち、スイッチ部４は、押された後、自身の復元力によって押される前の状態に復帰するように構成されている。
スイッチ部４は、前述の制御部（図示せず）と回路基板４０の基板４１に形成されたプリント配線などにより電気的に接続されている。スイッチ部４は、押されるとオンまたはオフ状態となり、オンまたはオフ状態であることを示す操作信号を制御部に出力する。このように出力される操作信号に応じて、制御部は、表示ディスプレイ３０の表示モードを変更させたり、光源（図示せず）の発光輝度を変化させたりする。
【００２５】
スイッチ装置１では、スイッチ部４は、上ケース９０に設けた押圧操作部２が押圧操作されるとオン／オフされるように構成されている。これにより、ユーザは押圧操作部２からシャフト部３（操作ロッド４ａ）を介してスイッチ部４を押圧操作することにより、スイッチ動作部４ｃがコンタクトスイッチ４ｂを押圧し、表示ディスプレイ３０の表示モードの変更などの各種操作が可能となる。
【００２６】
押圧操作部２は、シャフト部３（操作ロッド４ａ）を介してスイッチ部４を押圧操作するための部材であり、上ケース９０の傾斜した透明板９１の貫通孔９２に取り付けられる。押圧操作部２は、透明板９１の貫通孔９２からの水の浸入の防止と押圧操作の操作感を向上して確実に操作するためのものである。
押圧操作部２は、上ケース９０に形成された貫通孔９２をシールするシール部２ａと、シール部２ａから回路基板４０の基板４１側に突き出してシャフト部３の周囲に位置しシャフト３の移動をガイドするガイド部２ｂと、ガイド部２ｂ内に形成されシャフト部３と面接触する柱状に突き出す押圧部２ｃとを有している。
押圧操作部２は、前述のように、例えば、エチレンプロピレンゴムなどの所定の弾性素材からなる。押圧操作部２は、図１に示すように、平面形状が、４隅を円弧状とした略四角形状に形成され、透明板９１の貫通孔９２を覆うように取り付けられる。なお、押圧操作部２が取り付けられる透明板９１の傾斜面は、平面や曲面のいずれの場合も含むものである。
【００２７】
シール部２ａは、押圧操作部２の裏側に筒状に形成され、筒状の外周に環状溝が形成されている。シール部２ａの環状溝は、例えば鞍形形状とされ、透明板９１の貫通孔９２の鉛直な内周面および表裏の傾斜面を覆って水密状態とする。
ガイド部２ｂは、シール部２ａの貫通孔９２の内周部を覆う筒状部分から裏側に鉛直方向に突き出して円筒状に一体に形成される。
押圧部２ｃは、図３に示すように、ガイド部２ｂ内で押圧操作部２に対し傾斜した鉛直方向に柱状に突き出して一体に設けられる。これにより、押圧部２ｃの裏側面（先端面）２ｄが、基板４１の面方向に垂直な方向のシャフト部３の表側の操作面３ａと平行になり、互いが面接触している。押圧操作部２の表側には、押圧部２ｃを囲んで、押圧部２ｃを変位可能に弾性支持する支持部２ｅがさらに形成されている。支持部２ｅは、押圧部２ｃの位置に合わせて押圧操作部２にドーム状に形成されている。ユーザは、スイッチ装置１の操作ために、支持部２ｅを弾性変形させ、押圧部２ｃを変位させて押圧操作する。
【００２８】
押圧操作部２では、支持部２ｅは、上ケース９０の傾斜面から押圧部２ｃの裏側面（先端面）までの距離Ｌの大きい側Ｌ１が撓みやすい部分（領域）２ｇとされ、距離Ｌの小さい側Ｌ２を撓みにくい部分（領域）２ｈとしてある。すなわち、支持部２ｅは、回路基板４０の面方向に対して傾斜しており、押圧部２cの先端面２ｄまでの距離Ｌが長い側Ｌ１の領域２ｇが、距離Ｌが短い側Ｌ２の領域２ｈよりも撓みやすく形成されている。
本実施形態では、支持部２ｅに、図３に示すように、押圧部２ｃの円柱状の側面を削り落として平面部２ｆを表裏方向全長に形成することで撓みやすい部分（領域）２ｇと撓みにくい部分（領域）２ｈとが形成してある。
これにより、押圧操作部２の裏面において、平面部２ｆ側が、ガイド部２ｂとの間が広く撓みやすい部分（領域）２ｇとなり、平面部２ｆの反対側が、ガイド部２ｂとの間が狭く撓みにくい部分（領域）２ｈとなる。
したがって、ドーム状の支持部２ｅを押し込む場合に、上ケース９０の傾斜面から押圧部２ｃの裏側面（先端面）までの距離Ｌの小さい側Ｌ２（撓みにくい部分（領域）２ｈ）を基点として距離Ｌの大きい側Ｌ１（撓みやすい部分（領域）２ｇ）のたわみ量が多くなる。このため支持部２ｅの撓みやすい部分２ｇが、延ばされ、図３（ｂ）において、時計回りに回転するように撓ませることができる（図４（ａ）参照）。
このような押圧操作部２によれば、ユーザが上ケース９０の傾斜面に対して垂直に押圧操作部２の支持部２ｅを押し込んでも、傾斜面から押圧部２ｃの裏面側までの距離Ｌの大きい側Ｌ１を撓みやすい部分（領域）２ｇとすることで、押圧操作部２に加わる押圧力の方向をシャフト部３の軸方向（起立方向）に向かうようにすることができ、シャフト部３を傾けることなく、押圧部２ｃの裏側面（先端面）２ｄとシャフト部３の操作面３ａを面接触させてシャフト部３を押し込むことができる。
【００２９】
このように構成したスイッチ装置１は次のように動作される。
押圧操作部２を押圧操作すると（押し込むと）、シャフト部３は押圧操作部２の押込み移動に伴って計器装置１００の基板４１側に向かって移動される。
この押圧操作部２の押圧操作では、既に説明したように、上ケース９０の透明板９１に垂直に支持部２ｅが押し込まれるが、シャフト部３の操作面３ａと面接触している押圧部２ｃの裏側面（先端面）２ｄは、押圧操作部２の支持部２ｅに撓みやすい部分２ｇが形成してあるので、シャフト部３の起立方向（軸方向）に沿って押し込まれる。これにより、シャフト部３と一体の操作ロッド４ａおよびスイッチ動作部４ｃが移動される。
スイッチ動作部４ｃが移動されると、スイッチ動作部４ｃがコンタクトスイッチ４ｂを基板４１に向かって押す。
これにより、スイッチ部４がオンまたはオフ状態となる。押されたスイッチ部４は、オンまたはオフを示す操作信号を制御部に出力し、これに応じて制御部は、所定の動作を制御する（例えば、表示ディスプレイ３０の表示画像を切り替えるなど）。
【００３０】
ユーザが押圧操作を止めると（例えば、指を押圧操作部２から離すと）、スイッチ部４の基板４１の略法線方向の復元力により、シャフト部３と一体の操作ロッド４ａおよびスイッチ動作部４ｃが戻される。これにより、押圧操作を止めると、スイッチ装置１が再び、初期状態に戻るようになっている。
【００３１】
スイッチ装置１が以上のように構成されることにより、ユーザは、押圧操作部２からの押圧操作により計器装置１００の各種設定などを実行することが可能となる。
【００３２】
本スイッチ装置１によれば、湾曲した傾斜面に取り付けた押圧操作部２を操作しても、押圧操作部２がシャフト部３の軸方向に押し込まれ、操作感（操作フィーリング）に優れ、確実にスイッチ部３のオン／オフを操作することができる。
すなわち、傾斜した上ケース９０の透明板９１の貫通孔９２に取り付けた押圧操作部２を押し込むように操作すると、押圧力が傾斜した透明板９１に垂直に加わり易く、押圧部２ｃが傾いてシャフト部３の押圧操作方向（基板４１の面方向に垂直な方向）に伝達することが難しかった（図４（ｂ）参照）が、本スイッチ装置１では、押圧操作部２の撓みやすい部分２ｇを、撓みにくい部分２ｈを基点に延ばすように撓ませることができ、押圧部２ｃをシャフト部３の軸方向である回路基板４０の基板４１の面方向に垂直な方向に押し込むことができる。
【００３３】
また、シャフト部３が押圧操作部２のガイド部２ｂ内に位置しているので、ガイド部２ｂで移動がガイドされ、シャフト部３の軸方向（起立方向）に確実に押し込むことや復帰させることができる。
さらに、スイッチ装置１によれば、押圧操作部２にシール部２ａが形成してあり、上ケース９０の貫通孔９２の内周部および表裏面を覆うようにしてシールしているので、貫通孔９２からの雨水などの浸入をシールして防水することができる。
これにより、２輪車やオープンカーなどの計器装置１００での雨水などの浸入を防止して、スイッチ装置１を設置することができる。
また、押圧操作部２は、ガイド部２ｂにシャフト部３側に突き出してシャフト部３との隙間を狭めるリブが形成してある。これにより、ガイド部２ｂの内周側からシャフト部３側に突き出してリブ（図示せず）を形成することで、シャフト部３との隙間を狭めてシャフト部３の偏心を抑えることができ、一層確実にガイドすることができる。
なお、ガイド部２ｂにリブを形成するのに代えて、シャフト部３に外周側に突き出す突出部（図示せず）を形成してガイド部２ｂとの隙間を狭めるようにしても良い。こうすることで、シャフト部３の偏心を押えて、一層確実にシャフト部３の表裏方向の移動をガイドすることができる。
なお、上記実施の形態では、押圧操作部２の支持部２ｅを、傾斜面に応じて撓みやすい部分２ｇと撓みにくい部分２ｈを、押圧部２ｃの円柱に平面部２ｆを形成することで設けるようにしたが、押圧部２ｃの形状を変えずに、押圧操作部２の支持部２ｅの肉厚を変えて撓みやすい部分２ｇとしたり、撓みにくい部分２ｈとするようにしても良い。
また、押圧部２ｃの平面部２ｆの形成と、肉厚を変えることを組み合わせるようにしても良い。
さらに、押圧部２ｃの形状も円柱状として平面部を形成する場合に限らず、角柱状として撓みやすくする側面を切り欠いた形状などで構成することもできる。
【００３４】
なお、上記実施の形態では、シャフト部３にスイッチ部４の操作ロッド４ａを一体に設ける場合を例に説明したが、これに限られない。シャフト部３とスイッチ部４の操作ロッド４ａを別体として連結する構成あってもよい。
【００３５】
また、押圧操作部２に、シール部２ａと、ガイド部２ｂとを備える場合を例に説明したが、２輪車やオープンカーでなければ、シール部２ａを省略することもでき、ガイド部２ｂも必ずしも必要でなく、シャフト部３の長さなどにより設けるようにすれば、シャフト部３の移動を安定させることができる。
【００３６】
以上に説明したスイッチ装置１は、柱状の押圧部２ｃを有し、押圧部２ｃの軸方向に所定方向に対して傾いた斜め方向に押圧操作されることで、押圧部２ｃを変位させる押圧操作部２と、スイッチ部４が実装された、軸方向に垂直な方向を面方向とする回路基板４０と、スイッチ部４から押圧部２ｃに向かって延び、押圧部２ｃの先端面（裏側面）２ｄと面接触し、押圧操作部２への押圧操作によって変位する押圧部２ｃによって押されて回路基板４０側に移動してスイッチ部４を動作させるシャフト部３と、を備え、押圧操作部２は、押圧部２ｃを囲んで、押圧部２ｃを変位可能に弾性支持する支持部２ｅをさらに有し、支持部２ｅは、回路基板４０の面方向に対して傾斜しており、押圧部２cの先端面２ｄまでの距離Ｌが長い側Ｌ１の領域２ｇが、距離Ｌが短い側Ｌ２の領域２ｈよりも撓みやすく形成されている。
このように、押圧操作部２を撓みやすい領域（側）２ｇを延ばすようにしてたわみ量を多くし、反対側の撓みにくい領域（側）２ｈを基点に押し込むことで、上ケース９０の傾斜面に対して押し込むようにしてもシャフト部３を軸方向に押し込むことができ（図４（ａ）参照）、操作感に優れ、確実にシャフト部３を介してスイッチ装置１を操作することができる。
【００３７】
また、押圧操作部２は、支持部２ｅが取り付けられる上ケース９０に形成された貫通孔９２をシールするシール部２ａを有しており、シール部２ａで上ケース９０の貫通孔９２をシールして水密状態にできる。これにより、２輪車やオープンカーであっても雨水などの浸入を防止して操作感に優れたスイッチ装置１を設置することができる。
【００３８】
また、押圧操作部２は、支持部２ｅから回路基板４０側に突き出してシャフト部３の周囲に位置しシャフト部３の移動をガイドするガイド部２ｂを有しており、ガイド部２ｂでシャフト部３の移動を確実にガイドすることができる。これにより、操作感に優れたスイッチ装置１とすることができる。
【００３９】
また、押圧操作部２では、支持部２ｅを、押圧部２ｃの円柱状の外側部に平面部２ｆを形成して撓みやすく構成することで、簡単に撓みやすい部分２ｇと撓みにくい部分２ｈとを形成することができ、押圧操作部２で確実にシャフト部３を軸方向に押し込むことができる。
【００４０】
また、押圧操作部２では、ガイド部２ｂにシャフト部３側に突き出して隙間を狭めるリブを形成しておくことや、シャフト部３にガイド部２ｂ側に突き出して隙間を狭める突出部を形成しておくことで、シャフト部３の移動を一層確実にガイドすることができ、操作フィーリングが向上するとともに、スイッチ装置１を確実に操作することができる。
【００４１】
なお、本発明は、以上の実施形態、変形例及び図面によって限定されるものではない。本発明の要旨を変更しない範囲で、適宜変更（構成要素の削除も含む）を加えることが可能である。
【符号の説明】
【００４２】
１  …スイッチ装置
２  …押圧操作部
２ａ…シール部
２ｂ…ガイド部
２ｃ…押圧部
２ｄ…裏側面
２ｅ…支持部
２ｆ…平面部
２ｇ…撓みやすい部分（領域）
２ｈ…撓みにくい部分（領域）
３  …シャフト部
３ａ…操作面
３ｂ…ばね受け
３ｃ…係止部
３ｄ…コイルばね
３ｅ…遮光部
４  …スイッチ部
４ａ…操作ロッド
４ｂ…コンタクトスイッチ
４ｃ…スイッチ動作部
１００  …計器装置
１０  …第１計器部
１１  …指針
２０  …第２計器部
３０  …表示ディスプレイ
４０  …回路基板
４１  …基板
５０  …中ケース
５１  …シャフト配置部
５２  …貫通孔
６０  …文字板
６１  …開口部
６２  …貫通孔
７０  …見返し部材
７１  …開口部
７２  …ガイド部
８０  …裏ケース
９０  …上ケース
９１  …透明板
９２  …貫通孔
Ｌ  …傾斜面から押圧部までの距離
【図１】
2015225780.tif 000003
【図２】
2015225780.tif 000004
【図３】
2015225780.tif 000005
【図４】
2015225780.tif 000006